(57)【要約】【課題】確実なタッチ操作を可能とする表示入力装置を提供する。【解決手段】操作面２５に対する検出対象物の操作状態を検出するタッチ検出部としてのタッチセンサ１０と、操作面２５に表示画像２７を表示する表示部２０とを備えたタッチパネル３０と、操作面２５に対する操作動作を検出するパームレスト（第１パームレスト４５、第２パームレスト４７）と、タッチセンサ１０、及び表示部２０の動作を制御すると共に、パームレスト（第１パームレスト４５、第２パームレスト４７）により検出された検出情報に基づいて、検出対象物が操作しようとする操作面２５上の領域を推定する推定部を備えた制御部５０と、を有し、制御部５０は、推定部の推定結果に基づいて、領域における表示画像２７を拡大表示する、ように表示入力装置を構成する。これにより、タッチ前において操作しようとするアイコン等が見やすくなり、操作性を向上させる。【選択図】図３
2019133544.tif 000002
【特許請求の範囲】
【請求項１】
操作面に対する検出対象物の操作状態を検出するタッチ検出部と、前記操作面に表示画像を表示する表示部とを備えたタッチパネルと、
前記操作面に対する操作動作を検出するパームレストと、
前記タッチ検出部、及び前記表示部の動作を制御すると共に、前記パームレストにより検出された検出情報に基づいて、前記検出対象物が操作しようとする前記操作面上の領域を推定する推定部を備えた制御部と、を有し、
前記制御部は、前記推定部の推定結果に基づいて、前記領域における前記表示画像を拡大表示する、表示入力装置。
【請求項２】
前記推定部は、前記パームレスト上に置かれた手指の重心を求め、前記重心は特定の条件の下で前記操作動作に対応するものとして、前記手指が操作しようとする前記操作面上の領域を推定する、請求項１に記載の表示入力装置。
【請求項３】
前記推定部は、前記パームレストが車両に搭載される場合において、前記特定の条件が、前記車両が右ハンドル又は左ハンドル、また、前記手指が人差し指又は親指、等とであるとして前記推定を行なう、請求項１又は２に記載の表示入力装置。
【請求項４】
前記パームレストは、静電容量式のタッチセンサであり、前記タッチパネルの下方に設けられた第１パームレストである、請求項１から３のいずれか１項に記載の表示入力装置。
【請求項５】
前記パームレストは、静電容量式のタッチセンサであり、前記タッチパネルの上方に設けられた第２パームレストである、請求項１から４のいずれか１項に記載の表示入力装置。
【発明の詳細な説明】
【技術分野】
【０００１】
本発明は、表示入力装置に関する。
【背景技術】
【０００２】
従来、車載用電子機器において誤操作や誤動作を防止し、操作性の高いタッチパネル装置を提供する表示入力装置が開示されている（例えば、特許文献１参照）。
【０００３】
この表示入力装置は、各々が表示マークによって表示された複数のタッチ領域が隣接配置されたタッチパネルと、前記タッチ領域の各々に付与される押圧力を個別に検知して検知信号を生成する検知手段と、前記検知信号に応じて入力指令を生成する指令生成手段と、前記表示マークの少なくとも１つの表示範囲とこれに対応するタッチ領域の１つの存在範囲との位置関係及び大小関係の少なくとも一方を条件設定に応じて調整する調整手段と、を含んで構成されている。
【先行技術文献】
【特許文献】
【０００４】
【特許文献１】特開２００３−３４４０８６号公報
【発明の概要】
【発明が解決しようとする課題】
【０００５】
しかし、従来技術は、検知手段によりタッチ領域を検知し、これに基づいて、表示マークの位置関係、大小関係を条件設定に応じて調整するので、タッチ前の操作には対応できないという問題がある。特に、車両にこの表示入力装置を搭載する場合には、車両振動により確実なタッチ操作が難しいという問題があった。
【０００６】
したがって、本発明の目的は、確実なタッチ操作を可能とする表示入力装置を提供することにある。
【課題を解決するための手段】
【０００７】
［１］上記目的を達成するため、操作面に対する検出対象物の操作状態を検出するタッチ検出部と、前記操作面に表示画像を表示する表示部とを備えたタッチパネルと、前記操作面に対する操作動作を検出するパームレストと、前記タッチ検出部、及び前記表示部の動作を制御すると共に、前記パームレストにより検出された検出情報に基づいて、前記検出対象物が操作しようとする前記操作面上の領域を推定する推定部を備えた制御部と、を有し、前記制御部は、前記推定部の推定結果に基づいて、前記領域における前記表示画像を拡大表示する、表示入力装置を提供する。
［２］また、前記推定部は、前記パームレスト上に置かれた手指の重心を求め、前記重心は特定の条件の下で前記操作動作に対応するものとして、前記手指が操作しようとする前記操作面上の領域を推定する、上記［１］に記載の表示入力装置であってもよい。
［３］また、前記推定部は、前記パームレストが車両に搭載される場合において、前記特定の条件が、前記車両が右ハンドル又は左ハンドル、また、前記手指が人差し指又は親指、等とであるとして前記推定を行なう、上記［１］または［２］に記載の表示入力装置であってもよい。
［４］また、前記パームレストは、静電容量式のタッチセンサであり、前記タッチパネルの下方に設けられた第１パームレストである、上記［１］から［３］のいずれか１に記載の表示入力装置であってもよい。
［５］また、前記パームレストは、静電容量式のタッチセンサであり、前記タッチパネルの上方に設けられた第２パームレストである、上記［１］から［４］のいずれか１に記載の表示入力装置であってもよい。
【発明の効果】
【０００８】
本発明の表示入力装置によれば、確実なタッチ操作を可能とすることができる。
【図面の簡単な説明】
【０００９】
【図１】図１（ａ）は、本発明の実施の形態に係る表示入力装置の全体構成図であり、図１（ｂ）は、図１（ａ）の側面図である。
【図２】図２は、本発明の実施の形態に係る表示入力装置が車両に搭載された場合の構成を示す車室内の立体斜視図である。
【図３】図３（ａ）は、アイコンの初期表示状態を示す正面図と側面図であり、図３（ｂ）は、操作途中におけるアイコンの表示状態を示す正面図と側面図であり、図３（ｃ）は、タッチ操作時におけるアイコンの表示状態を示す正面図と側面図である。
【図４】図４（ａ）は、図１（ｂ）のＡ方向から第１パームレストを見た平面図であって、第１の実施の形態における、操作途中における手指とタッチセンサの位置関係を示す図であり、図４（ｂ）は、図４（ａ）におけるタッチセンサの静電容量値の分布を示す図である。
【図５】図５は、本発明の実施の形態に係る表示入力装置の動作を示すフローチャートである。
【図６】図６（ａ）は、図１（ｂ）のＢ方向から第２パームレストを見た平面図であって、第２の実施の形態における、操作途中における手指とタッチセンサの位置関係を示す図であり、図６（ｂ）は、図６（ａ）におけるタッチセンサの静電容量値の分布を示す図である。
【発明を実施するための形態】
【００１０】
（本発明の実施の形態）
本発明の実施の形態に係る表示入力装置１は、図１に示すように、操作面２５に対する検出対象物の操作状態を検出するタッチ検出部としてのタッチセンサ１０と、操作面２５に表示画像２７を表示する表示部２０とを備えたタッチパネル３０と、操作面２５に対する操作動作を検出するパームレスト（第１パームレスト４５、第２パームレスト４７）と、タッチセンサ１０、及び表示部２０の動作を制御すると共に、パームレスト（第１パームレスト４５、第２パームレスト４７）により検出された検出情報に基づいて、検出対象物が操作しようとする操作面２５上の領域を推定する推定部を備えた制御部５０と、を有する。第１の実施の形態に係る表示入力装置１は、第１パームレスト４５上に置かれた手指の位置等から、操作面２５に対する操作動作を検出し、推定部の推定結果に基づいて、タッチ前において、タッチ推定された領域における表示画像２７を拡大表示する、ように構成されている。
【００１１】
第１の実施の形態は、パームレストがタッチパネル３０の下方に設けられた第１パームレスト４５である。すなわち、タッチパネル３０を手指で操作する場合に、第１パームレスト４５により検出された検出情報に基づいて、タッチ前の指先位置を推定して、手指１００が操作しようとする操作面２５上の領域を推定する。この推定結果に基づいて、操作しようとする操作面２５上の領域における表示画像２７を拡大表示、特に、操作しようとする領域の表示画像２７の一部を拡大表示する。
【００１２】
（タッチセンサ１０）
タッチセンサ１０は、表示部２０と対応した２次元座標が検出可能な、例えば、静電容量方式の２次元タッチセンサである。２次元タッチセンサを構成する交差して配置される駆動電極と検出電極の交差する点で生成される静電容量（相互容量）を読み出す。一例として、読み出した静電容量に対してアナログ・デジタル変換処理などを行った静電容量カウント値として静電容量信号Ｓｃを生成して制御部５０に出力する。
【００１３】
タッチセンサ１０は、表示部２０上に表示される表示画像２７において、アイコン、ボタン、マーク等の選択対象を選択して検出できる程度の分解能があればよい。一例として、交差して設けられる駆動電極と検出電極の各交点の間隔が概略としてタッチセンサの分解能となる。
【００１４】
また、タッチセンサ１０は、静電容量方式の２次元タッチセンサには限定されず、例えば、抵抗膜センサ等の他の方式によるものであってもよい。
【００１５】
（表示部２０）
表示部２０は、図１に示すように、アイコン２８、メニュー表示、マーク等から構成される表示画像２７が表示され、タッチセンサ１０により操作されて、アイコン選択、メニュー選択、入力確定、入力処理等が表示される。表示部２０が車両に装着される場合は、例えば、図２に示すように、車両８のインストルメントパネル８１に装着される。表示部２０は、例えば、ＴＦＴ（Thin Film Transistor）型等の周知の液晶ディスプレイである。この表示部２０は、制御部５０に接続され、入力される表示信号ＳＤに基づいて表示制御される。
【００１６】
（タッチパネル３０）
タッチパネル３０は、上記説明したタッチセンサ１０と表示部２０を備えて構成される。タッチセンサ１０と表示部２０が積層され、表示部２０上に表示される表示画像２７のアイコン２８、ボタン、マーク等の選択対象をタッチセンサ１０により検出可能とされている。
【００１７】
タッチパネル３０は、例えば、車両８に搭載され、タッチ操作により種々の車載機器、例えば、カーナビゲーション装置を操作、制御するものとして使用される。
【００１８】
（第１パームレスト４５）
第１パームレスト４５は、図１、２に示すように、タッチパネル３０の下方に設けられている。第１パームレスト４５は、操作者がタッチパネル３０を指先でタッチ操作等を行なう場合に、図３に示すように、手の平１０４を乗せ、この状態で指先１０１により操作面２５上のアイコン等をタッチ操作するように想定されて、タッチパネル３０との位置関係、角度等が設定されている。
【００１９】
第１パームレスト４５は、２次元タッチセンサの構成を有した、パームレストである。すなわち、タッチセンサ１０は、例えば、静電容量方式の２次元タッチセンサである。２次元タッチセンサを構成する交差して配置される駆動電極と検出電極の交差する点で生成される静電容量（相互容量）を読み出す。一例として、読み出した静電容量に対してアナログ・デジタル変換処理などを行った静電容量カウント値として、図１（ａ）に示すように、静電容量信号Ｓ１を生成して制御部５０に出力する。
【００２０】
第１パームレスト４５は、操作者の手指が接触、近接した領域の静電容量を検出する。第１パームレスト４５は、２次元タッチセンサを構成する１つの駆動電極（図示省略）に駆動信号が供給されている間に検出電極（図示省略）の接続を周期的に切り替え、交差して配置される駆動電極と検出電極の交差する点で生成される静電容量（相互容量）を読み出す。一例として、読み出した静電容量に対してアナログ・デジタル変換処理などを行った静電容量カウント値として静電容量信号Ｓ１を生成して制御部５０に出力する。これにより、２次元タッチセンサの２次元位置における静電容量分布を検出することができる。
【００２１】
（制御部５０）
制御部５０は、タッチ検出制御部５１、表示制御部５２、第１パームレスト制御部５３、推定部５４、記憶部５５、第２パームレスト制御部５６等を備えた例えばマイクロコンピュータで構成されている。制御部５０は、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成される。なお、制御部５０は、図１に示すように、タッチ検出制御部５１、表示制御部５２、第１パームレスト制御部５３、推定部５４、記憶部５５、第２パームレスト制御部５６が一体に構成されている必要はなく、例えば、表示制御部は外部の画像処理チップ、記憶部は外部メモリ等を用いる構成であってもよい。記憶部５５には、タッチ検出のためのタッチ閾値等が記憶されている。
【００２２】
タッチ検出制御部５１は、２次元タッチセンサを構成する１つの駆動電極（図示省略）に駆動信号が供給されている間に検出電極（図示省略）の接続を周期的に切り替え、交差して配置される駆動電極と検出電極の交差する点で生成される静電容量（相互容量）を読み出す。一例として、読み出した静電容量に対してアナログ・デジタル変換処理などを行った静電容量カウント値として静電容量信号ＳＣを生成して制御部５０に出力する。これにより、２次元タッチセンサの２次元位置における静電容量分布を検出することができ、タッチセンサ１０への手指の接触(タッチ)や近接を検出することができる。タッチ閾値以上の領域の中心又は重心の座標をタッチ点とすることができる。
【００２３】
表示制御部５２は、マイクロコンピュータの処理、演算機能を使用して、表示画像２７の表示、後述する手指１００が操作しようとする操作面２５上の推定された領域（表示画像２７の一部）の拡大表示等を制御する。例えば、図３（ａ）、（ｂ）、（ｃ）に示すように、拡大表示とすることができる。なお、表示制御部５２は、予め用意された各アイコン、及びその周辺の拡大画像を、後述する操作面２５と手指１００の指先との距離ｄｚに応じて、拡大表示してもよい。さらに、この拡大表示は、操作面２５と手指１００の指先１０１との距離ｄｚに応じて、無段階、あるいは多段階で行なうことができてもよい。
【００２４】
第１パームレスト制御部５３は、２次元タッチセンサを構成する１つの駆動電極（図示省略）に駆動信号が供給されている間に検出電極（図示省略）の接続を周期的に切り替え、交差して配置される駆動電極と検出電極の交差する点で生成される静電容量（相互容量）を読み出す。一例として、読み出した静電容量に対してアナログ・デジタル変換処理などを行った静電容量カウント値として静電容量信号Ｓ１を生成して制御部５０に出力する。これにより、第１パームレスト４５の２次元位置における静電容量分布を検出することができる。
【００２５】
第１パームレスト制御部５３は、操作面２５に対する操作動作を検出する。図４（ａ）は、第１の実施の形態における、操作途中における手指とタッチセンサの位置関係を示す図であり、図４（ｂ）は、図４（ａ）におけるタッチセンサの静電容量値の分布を示す図である。第１パームレスト制御部５３は、図４（ｂ）に示すような静電容量信号Ｓ１を基にした静電容量値の分布により、例えば、第１パームレスト４５上に置かれた手指の重心１０３を求める。この手指の重心１０３は、特定の条件の下では、操作動作に対応するものとすることができる。特定の条件とは、例えば、図１（ａ）、（ｂ）の配置において、図３（ｂ）で示すように、操作者が左手を第１パームレスト４５上に置いた状態で、人差指で操作面２５をタッチ操作する場合である。
【００２６】
推定部５４は、手指の重心１０３に基づいて、手指１００が操作しようとする操作面２５上の領域を推定する。推定方法は種々のものが使用可能である。例えば、車両８が図２に示したような右ハンドルの場合は、運転者が左手で操作するものとして、上記示したような特定の条件が成り立つ。この特定の条件の下で、推定部５４は、手指１００が操作しようとする操作面２５上の領域を推定する。例えば、車両８が図２に示したような右ハンドルの場合は、運転者が左手で操作するものとして、図３（ｂ）に示すように、手指１００（人差指）が操作しようとする操作面２５上の領域２００を推定することができる。
【００２７】
記憶部５５は、図３（ａ）〜（ｃ）に示すような、メニュー画像である表示画像２７、アイコン２８等の画像データを記憶している。また、アイコンの初期状態の画像データ、拡大された状態の画像データ２０１、２０２を記憶している。また、推定部５４により推定された領域を拡大表示するために、各アイコンの領域、周辺領域を含む各アイコンの領域のそれぞれの拡大された状態の画像データを記憶している。これらの各画像データは、表示制御部５２の要求により、随時参照可能とされている。
【００２８】
制御部５０は、表示制御部５２により、これらの推定結果に基づいて、操作しようとする操作面２５上の領域２００における表示画像２７を、記憶部５５に記憶された必要な画像データを読み込みながら、拡大表示、特に、操作しようとする領域２００の表示画像２７の一部を拡大表示することができる。
【００２９】
具体的には、記憶部５５は、図３（ａ）〜（ｃ）に示すように、図３（ａ）に示す初期状態の表示から、図３（ｂ）に示す操作途中における推定された領域２００の拡大表示（画像データ２０１）、図３（ｃ）に示すアイコンをタッチした場合の領域２００の拡大表示（画像データ２０２）のように、表示制御する。
【００３０】
（表示入力装置１の動作）
図５は、本発明の第１の実施の形態に係る表示入力装置の動作を示すフローチャートである。第１の実施の形態に係る表示入力装置１は、第１パームレスト４５により静電容量分布を取得し、これに基づいて、第１パームレスト制御部５３が操作面に対する操作動作を検出する。推定部５４は、これに基づいて、手指１００が操作しようとする操作面２５上の領域２００を推定する。表示制御部５２は、この領域２００における表示画像２７を拡大表示する。タッチ検出制御部５１は、タッチ操作された位置（座標）を検出してこの位置（座標）にあるアイコンを検出する。制御部５０は、このアイコンに割り当てられた処理を実行することができる。
【００３１】
（Ｓｔｅｐ１）
第１パームレスト４５により静電容量分布を取得する。すなわち、図４（ｂ）に示すような、第１パームレスト４５上に置かれた手指の位置に対応した静電容量値の分布が取得できる。
【００３２】
（Ｓｔｅｐ２）
第１パームレスト制御部５３は、操作面２５に対する操作動作を検出する。第１パームレスト制御部５３は、静電容量値の分布により、例えば、第１パームレスト４５上に置かれた手指の重心１０３を求める。この手指の重心１０３は、特定の条件の下では、操作動作に対応するものとすることができる。
【００３３】
（Ｓｔｅｐ３）
推定部５４は、上記の手指の重心１０３に基づいて、手指１００が操作しようとする操作面２５上の領域を推定する。推定方法は種々のものが使用可能である。例えば、車両８が図２に示したような右ハンドルの場合は、運転者が左手で操作するものとして、上記示したような特定の条件が成り立つ。これにより、図３（ｂ）に示すように、手指１００（人差指）が操作しようとする操作面２５上の領域２００を推定することができる。なお、このような簡易な推定方法であっても、次ステップでの拡大表示領域を広く設定することにより、実用的には十分使用可能である。
【００３４】
（Ｓｔｅｐ４）
表示制御部５２は、前ステップでの推定結果に基づいて、操作しようとする操作面２５上の領域２００における表示画像２７を、記憶部５５に記憶された必要な画像データを読み込みながら、拡大表示する。特に、図３（ｂ）に示すように、操作しようとする領域２００の表示画像２７の一部を拡大された状態の画像データ２０１で拡大表示する。
【００３５】
（Ｓｔｅｐ５）
タッチ検出制御部５１は、静電容量信号Ｓｃを取得し、これに基づいてタッチ操作がされたかどうかを判断する。タッチ操作がされた場合はＳｔｅｐ６へ進み（Ｓｔｅｐ５：Ｙｅｓ）、タッチ操作がされない場合はＳｔｅｐ１へ戻る（Ｓｔｅｐ５：Ｎｏ）。タッチ検出制御部５１は、２次元タッチセンサの２次元位置における静電容量である静電容量信号Ｓｃに基づいて、タッチセンサ１０への手指の接触(タッチ)や近接を検出することができる。タッチ検出制御部５１は、図３（ｃ）に示すように、タッチ閾値以上の領域の中心又は重心の座標をタッチ点２１０とすることができ、そのタッチ点２１０、すなわち、タッチ点２１０が属するアイコンがタッチ操作されたと判断することができる。また、タッチ点２１０が属する領域の表示色を変更する等が可能である。
【００３６】
（Ｓｔｅｐ６）
制御部５０は、タッチ操作されたアイコンに割り当てられた処理を実行することができる。これにより、例えば、数字、文字を入力したり、カーナビゲーション装置等の車載機器を操作したりすることができる。
【００３７】
上記の動作は、必要に応じて繰り返して実行することができる。
【００３８】
（本発明の第２の実施の形態）
第２の実施の形態は、パームレストがタッチパネル３０の上方に設けられた第２パームレスト４７である。すなわち、タッチパネル３０を手指で操作する場合に、第２パームレスト４７により検出された検出情報に基づいて、タッチ前の指先位置を推定して、手指１００が操作しようとする操作面２５上の領域を推定する。この推定結果に基づいて、操作しようとする操作面２５上の領域における表示画像２７を拡大表示、特に、操作しようとする領域の表示画像２７の一部を拡大表示する。
【００３９】
以下、第１の実施の形態と異なる部分について説明する。
【００４０】
（第２パームレスト４７）
第２パームレスト４７は、図１、２に示すように、タッチパネル３０の上方に設けられている。第２パームレスト４７は、操作者がタッチパネル３０を親指でタッチ操作等を行なう場合に、手先部分を乗せ、この状態で親指の先で操作面２５上のアイコン等をタッチ操作するように想定されて、タッチパネル３０との位置関係、角度等が設定されている。
【００４１】
第２パームレスト４７は、２次元タッチセンサの構成を有した、パームレストである。すなわち、タッチセンサ１０は、例えば、静電容量方式の２次元タッチセンサである。２次元タッチセンサを構成する交差して配置される駆動電極と検出電極の交差する点で生成される静電容量（相互容量）を読み出す。一例として、読み出した静電容量に対してアナログ・デジタル変換処理などを行った静電容量カウント値として、図１（ａ）に示すように、静電容量信号Ｓ２を生成して制御部５０に出力する。
【００４２】
第２パームレスト４７は、操作者の手指が接触、近接した領域の静電容量を検出する。第２パームレスト４７は、２次元タッチセンサを構成する１つの駆動電極（図示省略）に駆動信号が供給されている間に検出電極（図示省略）の接続を周期的に切り替え、交差して配置される駆動電極と検出電極の交差する点で生成される静電容量（相互容量）を読み出す。一例として、読み出した静電容量に対してアナログ・デジタル変換処理などを行った静電容量カウント値として静電容量信号Ｓ２を生成して制御部５０に出力する。これにより、２次元タッチセンサの２次元位置における静電容量分布を検出することができる。
【００４３】
第２パームレスト制御部５６は、操作面２５に対する操作動作を検出する。図６（ａ）は、図１（ｂ）のＢ方向から第２パームレストを見た平面図であって、第２の実施の形態における、操作途中における手指とタッチセンサの位置関係を示す図であり、図６（ｂ）は、図６（ａ）におけるタッチセンサの静電容量値の分布を示す図である。第２パームレスト制御部５６は、図６（ｂ）に示すような静電容量信号Ｓ２を基にした静電容量値の分布により、例えば、第２パームレスト４７上に置かれた手指の重心１０５を求める。この手指の重心１０５は、特定の条件の下では、操作動作に対応するものとすることができる。特定の条件とは、例えば、図１（ａ）、（ｂ）の配置において、図６（ｂ）で示すように、操作者が左手先を第２パームレスト４７上に掛けた状態で、親指で操作面２５をタッチ操作する場合である。
【００４４】
推定部５４は、手指の重心１０５に基づいて、手指１００が操作しようとする操作面２５上の領域を推定する。推定方法は種々のものが使用可能である。例えば、車両８が図２に示したような右ハンドルの場合は、運転者が左手で操作するものとして、上記示したような特定の条件が成り立つ。この特定の条件の下で、推定部５４は、親指１０２が操作しようとする操作面２５上の領域を推定する。すなわち、図６（ａ）に示すように、親指１０２が操作しようとする操作面２５上の領域２００を推定することができる。
【００４５】
（実施の形態の効果）
本発明の実施の形態によれば、以下のような効果を有する。
（１）本発明の実施の形態に係る表示入力装置１は、操作面２５に対する検出対象物の操作状態を検出するタッチ検出部としてのタッチセンサ１０と、操作面２５に表示画像２７を表示する表示部２０とを備えたタッチパネル３０と、操作面２５に対する操作動作を検出するパームレスト（第１パームレスト４５、第２パームレスト４７）と、タッチセンサ１０、及び表示部２０の動作を制御すると共に、パームレスト（第１パームレスト４５、第２パームレスト４７）により検出された検出情報に基づいて、検出対象物が操作しようとする操作面２５上の領域を推定する推定部を備えた制御部５０と、を有して構成されている。本実施の形態では、タッチ前の指先位置を推定して、手指１００が操作しようとする操作面２５上の領域を推定する。この推定結果に基づいて、操作しようとする操作面２５上の領域における表示画像２７を拡大表示、特に、操作しようとする領域の表示画像２７の一部を拡大表示する。これにより、タッチ前において操作しようとするアイコン等が見やすくなり、操作性を向上させることができる。
（２）操作しようとするアイコン等を拡大表示することで狙いがつけやすくなり、タッチパッド操作時のダイアルへの誤入力を防止し、操作性が向上する。
（３）また、連続してタッチをしようとパームレストに手を置いたままでいると、一部が拡大された表示になり画面全体の確認がしにくくなるため、連続した操作を実施しにくくし、長時間の操作(運転姿勢が崩れた状態になるの)を抑止できる。
【００４６】
以上、本発明のいくつかの実施の形態を説明したが、これらの実施の形態は、一例に過ぎず、特許請求の範囲に係る発明を限定するものではない。また、これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００４７】
１…表示入力装置、８…車両、１０…タッチセンサ、２０…表示部、２５…操作面、２７…表示画像、２８…アイコン、３０…タッチパネル、４５…第１パームレスト、４７…第２パームレスト、５０…制御部、５１…タッチ検出制御部、５２…表示制御部、５３…第１パームレスト制御部、５４…推定部、５５…記憶部、５６…第２パームレスト制御部、８１…インストルメントパネル、１００…手指、１０１…指先、１０２…親指、１０３…重心、１０４…手の平、１０５…重心、２００…領域、２０１、２０２…画像データ、２１０…タッチ点
【図１】
2019133544.tif 000003
【図２】
2019133544.tif 000004
【図３】
2019133544.tif 000005
【図４】
2019133544.tif 000006
【図５】
2019133544.tif 000007
【図６】
2019133544.tif 000008